(57)【要約】 【課題】  造り付けの吊戸棚であっても収納具の取付が容易にでき、しかも収納物品の取り出し時にも採光窓からの光を利用できる物品収納組立体を提供すること。【解決手段】  外部から明りを取り込むための採光窓２がはめ込まれた室内側の壁面Ｗ１の上方に設置された吊戸棚４下面４ａのＬ字形の支持部材６に開閉扉１２が開閉可能に枢着支持され、この開閉扉１２が透光性を有する遮蔽板１４により遮蔽されると共にその背面には２つの収納棚１６ａ，１６ｂが取り付けられ、閉鎖時の開閉扉１２が採光窓２の室内側前面に対応するように構成されている。【選択図】  図２
2005192840.tif 000002
【特許請求の範囲】
【請求項１】
室内外を仕切る壁面にはめ込まれた採光窓の上方室内側壁面に設けた吊戸棚下部で、この採光窓前面側に位置する物品収納組立体であって、前記物品収納組立体は吊戸棚底面に取り付けた支持部材と、該支持部材によって枢着支持され、かつ室内側に向かって開放可能な透光材で形成された開閉扉からなる収納具とで構成されていることを特徴とする物品収納組立体。
【請求項２】
前記支持部材は略Ｌ字形をなし、該Ｌ字の一方が吊戸棚底面に取り付けられ、他方が下方に垂直に延びて前記開閉扉を枢着支持している請求項１に記載の物品収納組立体。
【請求項３】
前記Ｌ字の一方に開閉扉の閉鎖状態を保持する係止具が設けられている請求項１または２に記載の物品収納組立体。
【請求項４】
前記収納具は、開閉扉の背面側に設けた線状体で構成した棚である請求項１ないし３のいずれかに記載の物品収納組立体。
【請求項５】
前記開閉扉の少なくとも一方の側面側に透光性の覆い体を設けた請求項１ないし４のいずれかに記載の物品収納組立体。
【発明の詳細な説明】
【技術分野】
【０００１】
本発明は、室内外を仕切る壁面にはめ込まれた採光窓の上方室内側壁面に設けた吊戸棚下部であって、この採光窓前面側に位置する物品収納組立体に関する。
【背景技術】
【０００２】
従来の吊戸棚下部の採光窓前面側に収納具を備える物品収納組立体は、採光窓の開口部に壁に支持した上下枠に収納具を設け、収納具前面に透光材から成る引き違いの開閉戸を設けたものが知られている（特許文献１参照）。このように構成することで、採光窓からの光が遮蔽されることなく吊戸棚下部の空間を収納空間として有効利用することができる。しかし、この従来の物品収納組立体は、収納具の支持手段が壁に支持させているから、既に採光窓が取り付けられているところに上下枠を取り付けるには、施工が大掛かりとなり、収納具の取付に時間と費用が掛かる難点があった。
【０００３】
前記した難点を克服するために、収納具を直接吊戸棚の底面に取り付けるようにしたものも公知である（特許文献２参照）。このようにすれば支持枠を壁に取付ける必要がないので、収納具の取付が容易に行え便利である。
【０００４】
【特許文献１】実公昭５５−１０５号公報（第１頁第２欄、図面）
【特許文献２】実願昭６３−８６５０１号（実開平２−９１４１号公報）のマイクロフィルム（第３頁、第１図）
【発明の開示】
【発明が解決しようとする課題】
【０００５】
しかしながら、従来のこのような収納具を直接吊戸棚の底面に取り付けるものは、吊戸棚側から取付ねじをその底板を介して収納具側に向かって締め付けなければならず、既に造り付けられた吊戸棚からのねじ締め付け作業は困難を伴うものであった。又、収納具の棚に物を多く収納するとたとえ収納具の前面が透光材の扉であっても、採光窓からの光は収納物品に遮られて収納具内が暗くなってしまい、収納物品の取り出しが逆光状態となり不便であった。
【０００６】
本発明は、このような問題点に着目してなされたもので、造り付けの吊戸棚であっても収納具の取付が容易にでき、しかも収納物品の取り出し時にも採光窓からの光を利用できる物品収納組立体を提供することを目的とする。
【課題を解決するための手段】
【０００７】
上記の目的を解決するために、本発明の請求項１に記載の物品収納組立体は、室内外を仕切る壁面にはめ込まれた採光窓の上方室内側壁面に設けた吊戸棚下部で、この採光窓前面側に位置する物品収納組立体であって、前記物品収納組立体は吊戸棚底面に取り付けた支持部材と、該支持部材によって枢着支持され、かつ室内側に向かって開放可能な透光材で形成された開閉扉からなる収納具とで構成されていることを特徴としている。
この特徴によれば、収納具を支持するための支持部材を吊戸棚底面に取り付けることができるので、支持部材の取付が楽に行え、しかも収納物品取り出し時には開閉扉が開放されるので、採光窓からの光を充分に利用することができる。
【０００８】
本発明の請求項２に記載の物品収納組立体は、請求項１に記載の物品収納組立体であって、前記支持部材は略Ｌ字形をなし、該Ｌ字の一方が吊戸棚底面に取り付けられ、他方が下方に垂直に延びて前記開閉扉を枢着支持していることを特徴としている。
この特徴によれば、吊戸棚底面の長さを利用してＬ字の一方側を長く設定することで、重量のある収納具も支持可能である。
【０００９】
本発明の請求項３に記載の物品収納組立体は、請求項１または２に記載の物品収納組立体であって、前記Ｌ字の一方に開閉扉の閉鎖状態を保持する係止具が設けられていることを特徴としている。
この特徴によれば、Ｌ字の一方に係止具を設けることにより、開閉扉が不用意に開かれることを阻止できる。
【００１０】
本発明の請求項４に記載の物品収納組立体は、請求項１ないし３の何れかに記載の物品収納組立体であって、前記収納具は、開閉扉の背面側に設けた線状体で構成した棚であることを特徴としている。
この特徴によれば、収納具を線状体で構成した棚とすることにより、収納棚を通して室内側に入る光量が極力減ることがないようにすることができる。
【００１１】
本発明の請求項５に記載の物品収納組立体は、請求項１ないし４のいずれかに記載の物品収納組立体であって、前記開閉扉の少なくとも一方の側面側に透光性の覆い体が設けられていることを特徴としている。
この特徴によれば、開閉扉の閉鎖時に覆い体により外部からの埃等の侵入を阻止できる。
【発明を実施するための最良の形態】
【００１２】
本発明の実施例を以下に説明する。
【実施例】
【００１３】
本発明の実施例を図面に基づいて説明すると、先ず図1は室内外を仕切る壁面の採光窓上方の吊戸棚下部に取り付けられた物品収納組立体の斜視図、図２は収納具となる開閉扉を開放した状態を示す物品収納組立体の斜視図、図３は吊戸棚底面に取り付けられて下方に延びる支持部材に枢着支持される開閉扉の支持構造を示す部分斜視図であり、図４の（ａ）は物品収納組立体の正面図、（ｂ）は物品収納組立体の側面図、図５は一部半断面を示す物品収納組立体の平面図である。
【００１４】
先ず図1、図２において、物品収納組立体１は、外部から明りを取り込むための採光窓２がはめ込まれた室内側の壁面Ｗ１上方に設置された吊戸棚４の下面４ａに取り付けた支持部材６と、この支持部材６に枢着支持された開閉扉１２とで構成されている。
【００１５】
この支持部材６は、正面視Ｌ字形に形成されていてＬ字形の一方が吊戸棚４の底面に取り付けられる２本の水平取付け部８と、Ｌ字形の他方が水平取付け部８の一端から垂直下方に延出し後述する開閉扉の一端を枢着する２本の垂直取付け部１０とから構成されており、２本の水平取付け部８は吊戸棚４の底面４ａの幅内に収まるように底面４ａの長さを利用して取り付けられる。
【００１６】
詳しくは、水平取付け部８は、断面角型の軽量型材からなる平行に配置された２本の枠体８ａ，８ｂ間の前後を所定幅で平行に接続して構成されると共に、垂直取付け部１０は、枠体８ａ，８ｂの一端から垂直下方に延設され同じ軽量型材からなる平行に配置された２本の枠体１０ａ，１０ｂ間の上下を同一所定幅で平行に接続して構成されている。
【００１７】
また、図３に示すように、垂直取付け部１０の前方に配置される枠体１０ｂには、上端側から当接梁２０が前方に張り出しており、この当接梁２０の片側面には係止具として例えばマグネットキャッチＣ２が取着されている。
【００１８】
更に、枠体１０ｂの当接梁２０に近接する上方側には、Ｌ字形の上部ブラケット２４ａが固定されると共にこのブラケット２４ａから所定距離離間する下方には下部ブラケット２４ｂが固定されている。
【００１９】
図２、図３に示すように、Ｌ字状に形成される支持部材６の前面には、室内側に向かって開放可能な開閉扉１２が配設されており、この開閉扉１２は、支持部材６の枠体８ｂ，１０ｂに対応する２辺を縦横の辺として軽量型材を横長矩形状に形成された扉枠１５と、この扉枠１５に外周が支持された樹脂材などで構成される透光性を有する遮蔽板１４とで構成され、裏面に収納棚１６ａ、１６ｂを備えた収納具として機能している。
【００２０】
そして図３、図４に示すように、扉枠１５の片側縦辺の上下には、支持アーム２２ａ，２２ｂが設けられ、これらの支持アーム２２ａ，２２ｂは、枠体１０ｂの上部及び下部ブラケット２４ａ，２４ｂにピンＰを介して枢着され、開閉扉１２の一端を所定範囲で回動可能に枢支している。このように構成された開閉扉１２は、図２に示すように閉鎖時において扉枠１５の上辺が水平取付け部８の前方枠体８ｂの他端側に止着された係止具となるマグネットキャッチＣ１により吸着保持され、閉鎖状態が保持されるようになっている。
【００２１】
また、開閉扉１２を構成する扉枠１５左右の背面側上下には、所定間隔毎に配設した複数の針金などから成る線状体を折曲して上方が開口するように構成され、図４（ｂ）に示すように、支持部材６の幅とほぼ同じ幅の籠状に形成された２つの収納棚１６ａ，１６ｂがブラケット１８を介して取り付けられ、収納具として構成されている。
【００２２】
更に、開閉扉１２の両側が、開放されているので開閉扉１２を閉鎖した状態でも外部から目視可能となるため、例えば図５に示すように、一側が壁面Ｗ２で塞がれている場合には、開閉扉１２の他側に透光性を有する覆い体２５（図２に２点鎖線で示す）を取り付けて両側を塞いだ状態にすることもできる。壁面Ｗ２が存在しない場合には、２本の枠体１０ａ，１０ｂ間に透光性を有する覆い体で覆うようにすればよい。
【００２３】
このように、実施例に示される物品収納組立体１によれば、支持部材６を吊戸棚４の底面に取り付けることができるので、支持部材６の取付が楽に行え、しかも収納物品の取り出し時には開閉扉１２が開放されるので、採光窓２からの光を充分に利用することができる。
【００２４】
また、略Ｌ字形に形成された支持部材６の一方となる水平取付け部８が吊戸棚４の底面４ａに取り付けられ、他方となる垂直取付け部１０が下方に垂直に延びて開閉扉１２を開閉可能に枢着支持し、吊戸棚４の底面４ａの長さを利用してＬ字の一方側を長く設定することで、重量のある収納具でも安定して支持することが可能となる。
【００２５】
更に、水平取付け部８の他端側に開閉扉１２の閉鎖状態を保持するマグネットキャッチＣ１が設けられているので、この開閉扉１２が不用意に開かれることを阻止することができる。
【００２６】
そして、開閉扉１２の背面側には、所定間隔毎に配設した複数の針金などから成る線状体を折曲して上方が開口する収納棚１６ａ，１６ｂが設けられているので、開閉扉１２が閉鎖状態にあっても収納棚１６ａ，１６ｂを通して室内側に入る光量が極力減ることがないようにすることができる。
【００２７】
そしてまた、開閉扉１２の少なくとも一方の側面側に透光性を有する覆い体を設けることで、開閉扉１２の閉鎖時にこの覆い体により外部からの埃等の侵入を阻止することができる。
【００２８】
以上、本発明の実施例を図面により説明してきたが、具体的な構成はこれら実施例に限られるものではなく、例えばＬ字形の支持部材を２本の枠体でなく１本で構成しても構わない。また、開閉扉の閉鎖状態を保持する係止具としては、マグネットキャッチに限らず公知の係止手段が採用されることは言うまでもない。
【図面の簡単な説明】
【００２９】
【図１】室内外を仕切る壁面の採光窓上方の吊戸棚下部に取り付けられた物品収納組立体の斜視図である。
【図２】収納具となる開閉扉を開放した状態を示す物品収納組立体の斜視図である。
【図３】吊戸棚底面に取り付けられて下方に延びる支持部材に枢着支持される開閉扉の支持構造を示す部分斜視図である。
【図４】（ａ）は物品収納組立体の正面図、（ｂ）は物品収納組立体の側面図である。
【図５】一部半断面を示す物品収納組立体の平面図である。
【符号の説明】
【００３０】
１                      物品収納組立体
２                      採光窓
４                      吊戸棚
４ａ                    底面
６                      支持部材
８                      水平取付け部
８ａ，８ｂ              枠体
１０                    垂直取付け部
１０ａ，１０ｂ          枠体
１２                    開閉扉
１４                    遮蔽板
１５                    扉枠
１６ａ，１６ｂ          収納棚
１８                    ブラケット
２０                    当接梁
２２ａ，２２ｂ          支持アーム
２４ａ                  上部ブラケット
２４ｂ                  下部ブラケット
２５                    覆い体
Ｃ１，Ｃ２              マグネットキャッチ
Ｐ                      ピン
Ｗ１，Ｗ２              壁面
【図１】
2005192840.tif 000003
【図２】
2005192840.tif 000004
【図３】
2005192840.tif 000005
【図４】
2005192840.tif 000006
【図５】
2005192840.tif 000007